(57)【要約】【課題】照明制御専用のコントローラ又は照明制御及び設定処理可能なコントローラのどちらに接続される場合でも照明制御に関する各種設定を行うことができるスレーブ回路を提供する。【解決手段】スレーブ回路６は、スイッチ優先モード又は遠隔優先モードの手動選択及び照明制御システム１に関する設定値の手動指定が可能なスイッチ部６０と、コントローラ３からの照明制御信号又は設定処理信号を設定値に基づいて受信可能な通信部６１と、照明制御信号に基づいて照明用電源回路７に照明制御を実行させる照明制御部６３と、設定処理信号が新たな設定値を含む場合において、スイッチ優先モードが選択されている場合には新たな設定値を処理せず、遠隔優先モードが選択されている場合には現在の設定値を新たな設定値に変更する設定処理部６５とを備える。【選択図】  図１
2019102403.tif 000002
【特許請求の範囲】
【請求項１】
照明制御システムにおけるコントローラに対するスレーブ回路であって、
スイッチ優先モード又は遠隔優先モードの手動選択及び前記照明制御システムに関する前記設定値の手動指定が可能なスイッチ部と、
前記コントローラからの照明制御信号又は設定処理信号を前記設定値に基づいて受信可能な通信部と、
前記照明制御信号に基づいて前記照明用電源回路に照明制御を実行させる照明制御部と、
前記設定処理信号が新たな設定値を含む場合において、前記スイッチ優先モードが選択されている場合には前記新たな設定値を処理せず、前記遠隔優先モードが選択されている場合には現在の前記設定値を前記新たな設定値に変更する設定処理部と
を備えたスレーブ回路。
【請求項２】
前記スイッチ部による選択及び指定の内容を記憶するメモリと、
前記設定処理信号がスイッチ有効化コマンドを含む場合でかつ前記スイッチ部によってスイッチ優先モードが選択されている場合には前記スイッチ優先モードを維持して前記メモリに記憶し、前記設定処理信号が前記スイッチ有効化コマンドを含む場合でかつ前記スイッチ部によって遠隔優先モードが選択されている場合には前記遠隔優先モードを維持して前記メモリに記憶し、前記設定処理信号がスイッチ無効化コマンドを含む場合には前記スイッチ部による選択にかかわらず前記遠隔優先モードを決定して前記メモリに記憶するスイッチ有効／無効化部と
をさらに備え、
前記設定処理信号が新たな設定値を含む場合において、前記設定処理部が、前記スイッチ優先モードが記憶されている場合には前記新たな設定値を処理せず、前記遠隔優先モードが記憶されている場合には現在の前記設定値を前記新たな設定値に変更するように構成された、請求項１に記載のスレーブ回路。
【請求項３】
前記照明制御信号がＤＭＸ５１２規格に準拠した信号であり、前記設定処理信号がＲＤＭ規格に準拠した信号である、請求項１又は２に記載のスレーブ回路。
【請求項４】
前記設定値が、前記照明制御信号及び前記設定処理信号を受信するためのアドレスを示すものである、請求項１から３のいずれか一項に記載のスレーブ回路。
【請求項５】
前記設定値が、前記照明制御信号の受信が停止した場合に実行される照明制御の指定を示すものである、請求項１から４のいずれか一項に記載のスレーブ回路。
【請求項６】
前記照明用電源回路が接続される複数の出力チャネルが設けられ、前記設定値は、前記複数の出力チャネルのうちの使用される出力チャネルの指定を示すものである、請求項１から５のいずれか一項に記載のスレーブ回路。
【請求項７】
前記設定処理部が、前記設定処理信号に所定のコマンドに応じて前記設定値の一部又は全部を前記スイッチ部によって指定される設定値にリセットするように構成された、請求項１から６のいずれか一項に記載のスレーブ回路。
【請求項８】
前記設定処理信号に対する応答信号を前記通信部から前記コントローラに送信させる応答生成部をさらに備え、
前記設定処理信号が所定のコマンドを含む場合に、前記応答生成部が、現在の自機アドレスと前記スイッチ部によって指定される設定値の一部又は全部とを対応付けた応答信号を生成するように構成された、請求項１から７のいずれか一項に記載のスレーブ回路。
【請求項９】
請求項１から８のいずれか一項に記載のスレーブ回路と、前記照明用電源回路とを備えた照明用電源装置。
【請求項１０】
請求項９に記載の照明用電源装置と、前記照明制御信号及び前記設定処理信号を出力可能な前記コントローラとを備えた照明制御システム。
【発明の詳細な説明】
【技術分野】
【０００１】
本発明は、スレーブ回路、照明用電源装置及び照明制御システムに関する。
【背景技術】
【０００２】
特許文献１の照明制御システムは、ＤＭＸ信号を用いて照明装置を制御する照明制御装置と、照明制御装置に接続された複数の照明装置とを有する。照明制御装置はＤＭＸ５１２規格に準拠したＤＭＸ信号を複数の照明装置に対して出力し、各照明装置は照明制御装置から受信したＤＭＸ信号に従って照明制御を実行する。また、ＤＭＸ信号の拡張として、ＲＤＭ規格に準拠した双方向性のＲＤＭ信号が使用され得ることが開示される。一般に、ＲＤＭ信号を用いれば、照明装置のアドレス設定などの各種設定及びその応答処理を遠隔から行うことができるが、ＲＤＭ信号を用いるには送信側の照明制御装置（コントローラ）及び受信側の照明装置の双方がＲＤＭ規格に対応している必要がある。
【先行技術文献】
【特許文献】
【０００３】
【特許文献１】特開２０１６−１８１４５４号公報
【発明の概要】
【発明が解決しようとする課題】
【０００４】
上記のように、照明制御システムにおける通信には、ＤＭＸ信号のような照明制御を専用とした信号規格と、ＲＤＭ信号のような照明制御及び設定処理を可能とする信号規格とが存在する。前者の規格の下では、照明装置のアドレスなどの各種設定の手動設定を可能とするために、照明装置の電源回路装置内にスイッチなどを設ける必要がある。そして、照明装置を設置した後に設定の変更が必要となった場合には、その電源回路装置の筐体の蓋を開けてスイッチの切換を行う必要がある。照明装置の電源回路装置は、通常は高所に設置されることが多く、設定変更の度に電源回路装置のスイッチを操作するには労力を要することが多い。これに対して、ＲＤＭ規格などの下では、設定変更の遠隔処理が可能となるので、上記のようなスイッチなどは不要といえる。
【０００５】
ところで、照明制御システムを構築する際に、ＲＤＭ規格に対応した照明装置とＲＤＭ規格に対応したコントローラとが同時に導入されるとは限らない。言い換えると、照明装置側がＲＤＭ規格に対応していてもコントローラがＲＤＭ規格に対応していない（すなわち、ＤＭＸ５１２にしか対応していない）場合もある。このような場合、照明装置側の各種設定は、やはり照明装置の電源回路装置内に設けられるスイッチなどによって手動設定される必要があり、照明装置側に手動設定用の構成を残しておくことが望ましい。しかし、照明装置側がＲＤＭ規格に対応しつつもスイッチなどの手動設定用の構成を有する場合、ＲＤＭ信号による遠隔設定とスイッチなどによる手動設定とが正しく調整されないと、ユーザにおいて設定上の混乱がもたらされる可能性がある。
【０００６】
そこで、本発明は、照明制御専用のコントローラ又は照明制御及び設定処理可能なコントローラのどちらに接続される場合でも、照明制御に関する各種設定を好適に行うことができるスレーブ回路を提供することを課題とする。また、本発明は、そのようなスレーブ回路を用いた照明用電源装置及び照明制御システムを提供することを課題とする。
【課題を解決するための手段】
【０００７】
本発明の、照明制御システムにおけるコントローラに対するスレーブ回路は、スイッチ優先モード又は遠隔優先モードの手動選択及び照明制御システムに関する設定値の手動指定が可能なスイッチ部と、コントローラからの照明制御信号又は設定処理信号を設定値に基づいて受信可能な通信部と、照明制御信号に基づいて照明用電源回路に照明制御を実行させる照明制御部と、設定処理信号が新たな設定値を含む場合において、スイッチ優先モードが選択されている場合には新たな設定値を処理せず、遠隔優先モードが選択されている場合には現在の設定値を新たな設定値に変更する設定処理部とを備える。
【０００８】
上記構成のスレーブ回路によると、スイッチ部によってスイッチ優先モード又は遠隔優先モードの手動選択及び設定値の手動指定が可能であり、設定処理信号が新たな設定値を含む場合において、設定処理部は、スイッチ優先モードが選択されている場合には新たな設定値を処理せず、遠隔優先モードが選択されている場合には現在の設定値を新たな設定値に変更する。これにより、照明制御専用のコントローラ又は照明制御及び設定処理可能なコントローラのどちらに接続される場合でも、照明制御に関する各種設定を好適に行うことができるスレーブ回路が実現される。
【０００９】
さらに、スレーブ回路は、スイッチ部による選択及び指定の内容を記憶するメモリと、設定処理信号がスイッチ有効化コマンドを含む場合でかつスイッチ部によってスイッチ優先モードが選択されている場合にはスイッチ優先モードを維持してメモリに記憶し、設定処理信号がスイッチ有効化コマンドを含む場合でかつスイッチ部によって遠隔優先モードが選択されている場合には遠隔優先モードを維持してメモリに記憶し、設定処理信号がスイッチ無効化コマンドを含む場合にはスイッチ部による選択にかかわらず遠隔優先モードを決定してメモリに記憶するスイッチ有効／無効化部とを備え、設定処理信号が新たな設定値を含む場合において、設定処理部は、スイッチ優先モードが記憶されている場合には新たな設定値を処理せず、遠隔優先モードが記憶されている場合には現在の設定値を新たな設定値に変更するように構成される。このように、コントローラからの設定処理信号によってスイッチ優先モード又は遠隔優先モードを切り替えることができ、遠隔設定処理と手動設定処理の選択が、簡便かつ適切な態様で実行可能となる。
【００１０】
特に、照明制御信号がＤＭＸ５１２規格に準拠した信号であり、設定処理信号がＲＤＭ規格に準拠した信号である場合に、本発明は好適に適用可能である。
【００１１】
設定値は、照明制御信号及び設定処理信号を受信するためのアドレスを示すものであってもよい。これにより、コントローラに対する複数のスレーブ回路の接続構成の変更に伴うアドレス変更への対応が容易化される。
【００１２】
また、設定値は、照明制御信号の受信が停止した場合に実行される照明制御の指定を示すものであってもよい。これにより、コントローラの停電時などにおける照明制御信号不受信時の照明制御の指定をスレーブ回路の設置前及び設置後に柔軟に行うことが可能となる。
【００１３】
また、照明用電源回路が接続される複数の出力チャネルが設けられ、設定値は、複数の出力チャネルのうちの使用される出力チャネルの指定を示すものであってもよい。これにより、スレーブ回路に対する照明用電源回路の接続構成の変更への対応が容易化される。
【００１４】
また、設定処理部は、設定処理信号に含まれる所定のコマンドに応じて現設定値の一部又は全部をスイッチ部によって指定される設定値にリセットするように構成されてもよい。これにより、スレーブ回路の使用終了時などに、スイッチ部が示す設定値に実際の設定値を一致させ、スレーブ回路の再使用時のスムーズな取扱いが可能となる。
【００１５】
さらに、設定処理信号に対する応答信号を通信部からコントローラに送信させる応答生成部がさらに設けられ、設定処理信号が所定のコマンドを含む場合に、応答生成部が、現在の自機アドレスと、スイッチ部によって指定される設定値の一部又は全部とを対応付けた応答信号を生成するように構成されてもよい。これにより、スレーブ回路の設定変更後又はコントローラに対する複数のスレーブ回路の接続構成の変更後も、コントローラ側から各設定値を確認することができる。特に、設定値がアドレスの場合には、各スレーブ回路の接続位置などを追跡することができ、その管理性が向上する。
【００１６】
また、本発明の照明用電源装置は、上記いずれかのスレーブ回路と、上記照明用電源回路とを備える。さらに、本発明の照明制御システムは、その照明用電源装置と、照明制御信号及び設定処理信号を出力可能なコントローラとを備える。これにより、上記の各効果を奏する照明用電源装置及び照明制御システムが実現される。
【図面の簡単な説明】
【００１７】
【図１】本発明の実施形態によるスレーブ回路及びそれを含む照明制御システムのブロック図である。
【図２】本発明の実施形態によるスレーブ回路の動作を説明するフローチャートである。
【発明を実施するための形態】
【００１８】
＜実施形態＞
図１に、本発明の実施形態による照明制御システム１のブロック図を示す。照明制御システム１は、制御装置２、コントローラ３及び照明装置４−１〜４−ｎを備える。照明装置４−１〜４−ｎを総称して又はいずれか１つを代表して照明装置４という。各照明装置４は、ＬＥＤ電源装置５及び照明器具８を含み、ブロック図上は同一の構成を有するものとする。各ＬＥＤ電源装置５は、スレーブ回路６（スレーブ基板）及びＬＥＤ電源回路７を、例えば１つの筐体内に含む。制御装置２とコントローラ３とはＬＡＮ通信線で接続され、コントローラ３と各照明装置４とは適宜の通信線で接続され、照明装置４−１〜４−ｎはデイジーチェーン接続される。あるいは、コントローラ３と各照明器具４とは無線接続されてもよい。照明器具８は、本実施形態では、ＬＥＤアレイを有するＬＥＤ照明器具である。
【００１９】
制御装置２は、例えば、岩崎電気株式会社製のＩＴＡＣＳなどであり、処理部２１、記憶部２２、ユーザＩ／Ｆ２３及び入出力部２４を備える。処理部２１は、制御装置２の全体を統括制御するプロセッサなどで構成され、記憶部２２はプログラム及びデータを記憶する。ユーザＩ／Ｆ２３は、例えばタッチパネル上のグラフィカルユーザインターフェース（ＧＵＩ）などである。入出力部２４はＬＡＮポートなどであり、ＬＡＮケーブルを介してコントローラ３（入出力部３１）に接続される。制御装置２は、記憶部２２に記憶された情報又はユーザＩ／Ｆ２３から入力された情報に基づいて制御指令をコントローラ３に出力する。
【００２０】
コントローラ３は、ＤＭＸ５１２規格に対応した照明コントローラ（以下、「ＤＭＸコントローラ」という）又はＲＤＭ（Ｒｅｍｏｔｅ  Ｄｅｖｉｃｅ  Ｍａｎａｇｅｍｅｎｔ）規格に対応した照明コントローラ（以下、「ＲＤＭコントローラ」という）である。コントローラ３は、入出力部３１、ＣＰＵ３２、メモリ３５及び通信部３６を備える。コントローラ３は、各照明装置４に対するマスタ装置として機能し、制御装置２から入力される制御指令に基づいて制御信号を各照明装置４に送信する。
【００２１】
コントローラ３がＤＭＸコントローラの場合にはＣＰＵ３２は信号生成部３３を含み、コントローラ３がＲＤＭコントローラの場合にはＣＰＵ３２は信号生成部３３及び応答処理部３４を含む。これらの各部は、バスを介して相互に信号及びデータのやり取りが可能な態様で接続される。ＣＰＵ３２及びメモリ３５は、１つのマイクロコンピュータに含まれ得る。ＣＰＵ３２は、そこに含まれる各部の機能とともに、通信部３６の通信制御、信号生成部３３及び応答処理部３４の統括制御など、特に明記しない一般的なＣＰＵとしての機能も実行可能であるものとする。メモリ３５は、プログラム、ファイル及びデータを記憶するＲＡＭ、ＲＯＭなどの記憶部である。通信部３６は、各照明装置４のスレーブ回路６（通信部６１）に対するマスタ通信部として機能する。以下、特に断りがない限り、コントローラ３はＲＤＭコントローラであるものとして各部の構成を説明する。
【００２２】
信号生成部３３は、制御装置２からの制御指令に基づいて制御信号を生成し、この制御信号を通信部３６から照明装置４に送信する。この制御信号は、照明制御用のＤＭＸ５１２規格に準拠した信号（以下、「ＤＭＸ信号」という）又は設定処理用のＲＤＭ規格に準拠した信号（以下、「ＲＤＭ信号」又は「コマンド」という）である。すなわち、信号生成部３３は、各照明装置４の点灯、消灯、調光などの照明制御を行う場合にはＤＭＸ信号を生成し、各照明装置４の設定処理を行う場合にはＲＤＭ信号を生成する。
【００２３】
なお、ＤＭＸ信号は一方向信号であるのに対し、ＲＤＭ信号は双方向信号である。したがって、ＲＤＭ信号の通信においては、コマンドがコントローラ３から照明装置４に送信され、このコマンドに対するレスポンスが照明装置４からコントローラ３に返信される（照明装置４からコントローラ３に自発的にレスポンスの信号を送信することはできない）。設定処理には、処理対象の照明装置４の設定値の設定又は変更（ＳＥＴ）、処理対象の照明装置４の設定値の取得（ＧＥＴ）、又は照明装置４−１〜４−ｎ全体における検索（ＤＩＳＣＯＶＥＲＹ）が含まれる。設定値については後述する。ＤＭＸ信号を構成するＤＭＸフレーム及びＲＤＭ信号を構成するＲＤＭフレームは、所定フィールドの値の相違によって識別される。具体的には、両フレームに共通のＡＳＣ（Ａｌｔｅｒｎａｔｉｖｅ  Ｓｔａｒｔ  Ｃｏｄｅ）フィールドのスタートコードの値がＤＭＸフレームとＲＤＭフレームとで異なり、これがスレーブ回路６において適宜識別される。
【００２４】
応答処理部３４は、各照明装置４から通信部３６を介して受信されたレスポンスを処理する。応答処理部３４は、信号生成部３３が生成したコマンドに対するレスポンスを、必要に応じて形式変換又は解析して制御装置２に出力する。これにより、制御装置２は、このレスポンスに基づいて、照明装置４の設定に関する情報をユーザＩ／Ｆ２３に出力することができる。
【００２５】
スレーブ回路６は、スイッチ部６０、通信部６１、ＣＰＵ６２及び出力チャネル６８を備える回路基板（スレーブ基板）である。ＣＰＵ６２は、照明制御部６３、スイッチ有効／無効化部６４、設定処理部６５、応答生成部６６及びメモリ６７を含む。これらの各部は、バスを介して相互に信号及びデータのやり取りが可能な態様で接続される。ＣＰＵ６２は、１つのマイクロコンピュータとなり得る。ＣＰＵ６２は、そこに含まれる各部の機能とともに、通信部６１の通信制御、照明制御部６３、スイッチ有効／無効化部６４、設定処理部６５、応答生成部６６及びメモリ６７の統括制御など、特に明記しない一般的なＣＰＵとしての機能も実行可能であるものとする。メモリ６７は、プログラム、ファイル及びデータを記憶するＲＡＭ、ＲＯＭなどの記憶部であり、不揮発性メモリを含む。なお、メモリ６７はＣＰＵ６２の外部にあってもよく、この場合、ＣＰＵ６２及びメモリ６７は１つのマイクロコンピュータに含まれ得る。
【００２６】
通信部６１は、マスタ通信部としての通信部３６に対するスレーブ通信部として機能する。照明装置４−１〜４−（ｎ−１）の通信部６１はデイジーチェーン接続され、ＤＭＸ信号又はＲＤＭ信号を受信すると、自機のスタートアドレスに対応するＤＡＴＡフィールドを取り込むとともに、受信したＤＭＸ信号又はＲＤＭ信号を後続の照明装置４に送信する。
【００２７】
出力チャネル６８は複数のチャネル（例えば、４チャネル）を含み、各チャネルに１台のＬＥＤ電源回路７が接続されてもよいし、複数チャネルに１台のＬＥＤ電源回路７が接続されてもよい。例えば、４チャネルに対応して、赤色（Ｒ）、緑色（Ｇ）、青色（Ｂ）及び白色（Ｗ）の４色のＬＥＤが点灯制御されるようにしてもよい。本実施形態では、１チャネルのみが使用される例（すなわち、１台のスレーブ回路６に１台のＬＥＤ電源回路７が接続される例）を示すが、使用されるチャネル数はこれに限定されない。また、１台のスレーブ回路６に設けられるチャネル数は、特に限定されない。出力チャネル６８の各チャネルにはアドレスが設定される。すなわち、例えば、ある照明装置４で４個の出力チャネル６８が使用され得る場合、その照明装置４は、そのスタートアドレス以降の４個のアドレスを使用することになる。
【００２８】
スイッチ部６０は、ディップスイッチ、ロータリースイッチなどで構成される。例えば、ディップスイッチによって、所定の設定値の各々について１ビット（２値）〜３ビット（８値）程度の設定値を効率的に設定することができる。また、複数のロータリースイッチによって、より大きな数値を効率的に設定することができる。スイッチ部６０によって選択又は指定される各値は、メモリ６７に記憶される。以下に、種々の設定値について説明する。
【００２９】
（１）スイッチ優先モード／遠隔優先モードの選択
ディップスイッチによって、スイッチ優先モード又は遠隔優先モードが選択される。スイッチ優先モードは、ディップスイッチによって指定される設定値をＲＤＭ信号によって指定される設定値に優先するモードである（以下、「ＳＷ優先モード」ともいう）。遠隔優先モードは、ＲＤＭ信号によって指定される設定値をディップスイッチによって指定される設定値に優先するモードである（以下、「ＲＤＭ優先モード」ともいう）。例えば、１ビットのディップスイッチによって、「０」がＲＤＭ優先モード、「１」がＳＷ優先モードに割り当てられる。なお、ＳＷ優先モード又はＲＤＭ優先モードのいずれが選択されている場合であっても、ＤＭＸ信号の受信時の処理は同じである。
【００３０】
（２）スタートアドレスの指定
ロータリースイッチによって、スレーブ回路６のスタートアドレスが設定される。例えば、３個のロータリースイッチを、それぞれ百の位、十の位及び一の位の数値設定用に設けることによって、１ユニバース（５１２個のアドレス）に対応する数値をそれぞれ指定することができる。
【００３１】
（３）ＤＭＸ信号不受信時の照明制御の指定
照明装置４が給電される一方で、コントローラ３（及び制御装置２）が停電した場合又は通信障害が発生した場合など、照明装置４が照明制御可能な状態であるにもかかわらずＤＭＸ信号が受信されない状況が生じ得る。このようにＤＭＸ信号が中断又は停止して状態（途絶えた状態）に照明装置４が実行すべき照明制御を事前に決定しておくことが必要である。このようなＤＭＸ信号不受信時の照明制御として、例えば、２ビットのディップスイッチ（すなわち４値）によって、全光点灯、消灯、最終状態の維持（照明制御信号が途絶える直前の状態の再現）又はその他の制御（条件付きの制御、所定調光率での点灯など）が指定され得る。
【００３２】
（４）出力チャネル６８の指定
ディップスイッチによって、出力チャネル６８のいずれが使用されるのかが指定される。例えば、出力チャネル６８としてチャネルＣＨ１〜ＣＨ４が設けられている場合、２ビットのディップスイッチ（すなわち４値）によって、ＣＨ１の使用、ＣＨ１及びＣＨ２の使用、ＣＨ１〜ＣＨ３の使用又は全ＣＨ１〜ＣＨ４の使用が指定され得る。
【００３３】
照明制御部６３は、ＤＭＸ信号が受信される場合に、ＤＭＸ信号で指定される照明制御を出力チャネル６８に接続されるＬＥＤ電源回路７に実行させる。ＬＥＤ電源回路７は、この照明制御に従って照明器具８の点灯状態を制御する。例えば、照明制御においては、ＤＭＸ信号のＤＡＴＡフィールドの８ビットデータによって、２５６階調の調光が表現され得る。
【００３４】
スイッチ有効／無効化部６４は、ＲＤＭ信号にスイッチ有効化コマンド又はスイッチ無効化コマンドが含まれる場合に、スイッチ部６０によるモード選択との関係で、ＳＷ優先モード又はＲＤＭ優先モードを決定し、決定されたモードをメモリ６７に記憶する。
【００３５】
具体的には、スイッチ有効／無効化部６４は、
・ＲＤＭ信号に「スイッチ有効化コマンド」が含まれ、かつスイッチ部６０によって「ＳＷ優先モード「１」」が選択されている場合には、「ＳＷ優先モード」を決定及び記憶する（すなわち、スイッチ部６０による選択を維持する）
・ＲＤＭ信号に「スイッチ有効化コマンド」が含まれ、かつスイッチ部６０によって「ＲＤＭ優先モード「０」」が選択されている場合には、「ＲＤＭ優先モード」を決定及び記憶する（すなわち、スイッチ部６０による選択を維持する）
・ＲＤＭ信号に「スイッチ無効化コマンド」が含まれ、かつスイッチ部６０によって「ＳＷ優先モード「１」」が選択されている場合には、「ＲＤＭ優先モード」を決定及び記憶する（すなわち、スイッチ部６０による選択から変更する）
・ＲＤＭ信号に「スイッチ無効化コマンド」が含まれ、かつスイッチ部６０によって「ＲＤＭ優先モード「０」」が選択されている場合には、「ＲＤＭ優先モード」を決定及び記憶する（すなわち、スイッチ部６０による選択を維持する）。
言い換えると、ＲＤＭ信号に「スイッチ無効化コマンド」が含まれる場合には、スイッチ部６０の選択にかかわらず（すなわち、「１」及び「０」の場合のいずれも）、「ＲＤＭ優先モード」が決定及び記憶される。
【００３６】
設定処理部６５は、ＲＤＭ信号（コマンド）が新たな設定値を含む場合で、かつＲＤＭ優先モードが記憶されている場合には、現設定値を新たな設定値に変更する。一方、設定処理部６５は、ＲＤＭ信号が新たな設定値を含む場合であっても、ＳＷ優先モードが記憶されている場合には、ＲＤＭ信号に含まれる新たな設定値を無視し、現設定値を維持する。新たな設定値には、上述した（２）スタートアドレスの設定、（３）ＤＭＸ信号不受信時の照明制御の指定、（４）使用する出力チャネルの指定を示す値が含まれ得る。
【００３７】
また、ＲＤＭ信号が、各設定値をスイッチ部６０によって指定される設定値に戻すためのリセット用コマンドを含むようにしてもよい。具体的には、リセット用コマンドが受信されると、設定処理部６５は、スイッチ部６０によって指定される設定値（以下、「手動設定値」という）を読み出し、現設定値をこの手動設定値に変更する。このリセット用コマンドは、全ての手動設定値に関するものであってもよいし、一部の手動設定値に関するものであってもよい。
【００３８】
応答生成部６６は、受信されたコマンドに対するレスポンスを生成し、通信部６１からコントローラ３に送信する。レスポンスには、コマンドに対するアクノリッジメント、現設定値などが含まれ得る。上述したように、コントローラ３の応答処理部３４が、このレスポンスを処理する。また、手動設定値の一部又は全部の取得を要求するためのスイッチ確認用コマンドが設けられてもよく、この場合には要求された手動設定値がレスポンスに含まれる。
【００３９】
ＬＥＤ電源回路７は、入力電源（不図示）から供給された電圧を照明器具８の点灯に適した電流（電流波形、電流値などが制御された電流）に変換し、その電流を照明器具８に供給する。入力電源が交流電源であり、照明器具８がＬＥＤ照明器具である場合には、ＬＥＤ電源回路７は、交流電源を全波整流する整流回路、及び整流回路の出力電圧から直流定電流を生成してそれを照明器具８に出力するＤＣ／ＤＣコンバータを備える。これにより、ＬＥＤ電源回路７は、スレーブ回路６（出力チャネル６８）から入力された信号に応じて照明器具８に電力を供給し、照明器具８を点灯制御する。
【００４０】
図２に、スレーブ回路６における照明制御及び設定処理の処理に関するフローチャートを示す。フローチャートの開始以前に、スイッチ部６０による各手動設定値がメモリ６７に記憶されているものとする。そして、ステップＳ１００において、通信部６１が、コントローラ３からの制御信号を受信する。
【００４１】
ステップＳ１１０において、照明制御部６３が、制御信号がＤＭＸ信号か否かを判定する。制御信号がＤＭＸ信号の場合（ステップＳ１１０、Ｙｅｓ）、ステップＳ１１２において、照明制御部６３は、ＤＭＸ信号で指定される照明制御をＬＥＤ電源回路７に実行させる。その後、処理はステップＳ１００に戻る。一方、制御信号がＤＭＸ信号でない場合、すなわち、制御信号がＲＤＭ信号の場合（ステップＳ１１０、Ｎｏ）、処理はステップＳ１２０に進む。
【００４２】
ステップＳ１２０において、スイッチ有効／無効化部６４が、ＲＤＭ信号がスイッチ有効化コマンドを含むか否かを判定する。ＲＤＭ信号がスイッチ有効化コマンドを含む場合（ステップＳ１２０、Ｙｅｓ）、処理はステップＳ１２４に進む。
ステップＳ１２４において、スイッチ有効／無効化部６４は、スイッチ部６０によってＳＷ優先モードが選択されているか否かを判定する。ＳＷ優先モードが選択されている場合（ステップＳ１２４、Ｙｅｓ）、ステップＳ１２６において、スイッチ有効／無効化部６４はＳＷ優先モードを維持する。一方、ＳＷ優先モードが選択されていない場合、すなわち、ＲＤＭ優先モードが選択されている場合（ステップＳ１２４、Ｎｏ）、ステップＳ１２８において、スイッチ有効／無効化部６４はＲＤＭ優先モードを維持する。
【００４３】
一方、ステップＳ１２０において、ＲＤＭ信号がスイッチ有効化コマンドを含まない場合（ステップＳ１２０、Ｎｏ）、処理はステップＳ１２２に進む。
ステップＳ１２２において、スイッチ有効／無効化部６４は、ＲＤＭ信号がスイッチ無効化コマンドを含むか否かを判定する。ＲＤＭ信号がスイッチ無効化コマンドを含む場合（ステップＳ１２０、Ｙｅｓ）、処理はステップＳ１２８に進む。一方、ＲＤＭ信号がスイッチ無効化コマンドを含まない場合（ステップＳ１２０、Ｎｏ）、処理はステップＳ１３０に進む。
ステップＳ１２８において、スイッチ有効／無効化部６４は、スイッチ部６０によってＳＷ優先モードが選択されているか、ＲＤＭ優先モードが選択されているかにかかわらず、ＲＤＭ優先モードを決定し、それをメモリ６７に記憶する。ステップＳ１２６又はＳ１２８の後、処理はステップＳ１３０に進む。
【００４４】
ステップＳ１３０において、設定処理部６５は、ＲＤＭ信号が、新たな設定値を含むか否かを判定する。ＲＤＭ信号が新たな設定値を含む場合（ステップＳ１３０、Ｙｅｓ）、処理はステップＳ１３２に進む。一方、ＲＤＭ信号が新たな設定値を含まない場合（ステップＳ１３０、Ｎｏ）、ステップＳ１４０において、設定処理部６５（及び応答生成部６６）は、その他の処理、すなわち、設定値取得若しくは各種検索又はリセットなどの適宜の処理を実行する。その後、処理はステップＳ１００に戻る。
【００４５】
ステップＳ１３２において、設定処理部６５は、ＲＤＭ優先モードが記憶されているか否かを判定する。ＲＤＭ優先モードが記憶されている場合（ステップＳ１３２、Ｙｅｓ）、ステップＳ１３４において、設定処理部６５は、現設定値を新たな設定値に更新する。ＲＤＭ優先モードが記憶されていない場合、すなわち、ＳＷ優先モードが記憶されている場合（ステップＳ１３２、Ｎｏ）、ステップＳ１３６において、設定処理部６５は、現設定値を維持する。ステップＳ１３４又はＳ１３６の後、処理はステップＳ１００に戻る。
【００４６】
以上のように、本実施形態によるスレーブ回路６は、ＳＷ優先モード又はＲＤＭ優先モードの手動選択及び照明制御システム１に関する設定値の手動指定が可能なスイッチ部６０と、コントローラ３からのＤＭＸ信号又はＲＤＭ信号を設定値に基づいて受信可能な通信部６１と、ＤＭＸ信号に基づいてＬＥＤ電源回路７に照明制御を実行させる照明制御部６３と、ＲＤＭ信号が新たな設定値を含む場合において、ＳＷ優先モードが選択されている場合には新たな設定値を処理せず、ＲＤＭ優先モードが選択されている場合には現在の設定値を新たな設定値に変更する設定処理部６５とを備える。
【００４７】
このように、スイッチ部６０によってＳＷ優先モード又はＲＤＭ優先モードの手動選択及び設定値の手動指定が可能であり、ＲＤＭ信号が新たな設定値を含む場合において、設定処理部６５は、ＳＷ優先モードが選択されている場合には新たな設定値を処理せず、ＲＤＭ優先モードが選択されている場合には現在の設定値を新たな設定値に変更する。したがって、照明制御専用のＤＭＸコントローラ又は照明制御及び設定処理可能なＲＤＭコントローラのどちらに接続される場合でも、照明制御に関する各種設定を好適に行うことができるスレーブ回路６が実現される。
【００４８】
さらに、スレーブ回路６は、スイッチ部６０による選択及び指定の内容を記憶するメモリ６７と、ＲＤＭ信号がスイッチ有効化コマンドを含む場合でかつスイッチ部６０によってＳＷ優先モードが選択されている場合にはＳＷ優先モードを維持してメモリ６７に記憶し、ＲＤＭ信号がスイッチ有効化コマンドを含む場合でかつスイッチ部６０によってＲＤＭ優先モードが選択されている場合にはＲＤＭ優先モードを維持してメモリ６７に記憶し、ＲＤＭ信号がスイッチ無効化コマンドを含む場合にはスイッチ部６０による選択にかかわらずＲＤＭ優先モードを決定してメモリ６７に記憶するスイッチ有効／無効化部６４とを備え、ＲＤＭ信号が新たな設定値を含む場合において、設定処理部６５は、ＳＷ優先モードが記憶されている場合には新たな設定値を処理せず、ＲＤＭ優先モードが記憶されている場合には現在の設定値を新たな設定値に変更するように構成される。
【００４９】
このように、このように、コントローラ３からの設定処理信号によってＳＷ優先モード又はＲＤＭ優先モードを切り替えることができ、遠隔設定処理と手動設定処理の選択が、簡便かつ適切な態様で実行可能となる。
【００５０】
上記構成は、例えば次のような場合に、特に有用となる。例えば、スイッチ部６０によってＳＷ優先モードが選択された状態でＬＥＤ電源装置５（又は照明装置４）が出荷又は設置された場合を想定する。仮にスイッチ無効化が行われないとすると、ＳＷ優先モードの適用が維持されてしまい、ＲＤＭ信号による設定値の変更を行うことができない（上述したような、高所でＬＥＤ電源装置５の筐体の蓋を開けてスイッチ部６０を操作する作業が必要となる）。しかし、上記のようにスイッチ無効化コマンドを用いることによってＲＤＭ優先モードの適用が可能となり、ＲＤＭ信号による設定値の変更が可能となる。
【００５１】
また、例えば、コントローラ３が当初はＤＭＸコントローラで構成され（すなわち、ＳＷ優先モードの下でスイッチ部６０による手動設定が行われ）、その後にＤＭＸコントローラがＲＤＭコントローラに置き換えられる場合を想定する。この場合、置き換え後にコントローラ３（ＲＤＭコントローラ）からスイッチ無効化コマンドを各スレーブ回路６に送信することによって、その後のＲＤＭ信号を用いた設定変更が可能となり、問題なくＲＤＭ信号の機能が使用可能となる。
【００５２】
また逆に、コントローラ３をＲＤＭコントローラからＤＭＸコントローラに置き換える場合を想定する。この場合、上記のようにスイッチ有効化コマンドが処理されることによってＳＷ優先モードの適用が可能となり、スイッチ部６０を用いた設定値の手動設定が再度可能となる。
【００５３】
ここで、上記設定値は、ＤＭＸ信号及びＲＤＭ信号を受信するためのアドレスを示すものであってもよい。これにより、コントローラ３に対する複数のスレーブ回路６の接続構成の変更に伴うアドレス変更への対応が容易化される。
【００５４】
また、設定値は、ＤＭＸ信号の受信が停止した場合に実行される照明制御の指定を示すものであってもよい。これにより、コントローラ３の停電時などにおける照明制御信号不受信時の照明制御の指定をスレーブ回路６の設置前及び設置後に柔軟に行うことが可能となる。
【００５５】
また、ＬＥＤ電源回路７が接続される複数の出力チャネル６８が設けられ、設定値は、複数の出力チャネル６８のうちの使用される出力チャネル６８の指定を示すものであってもよい。これにより、スレーブ回路６に対するＬＥＤ電源回路７の接続構成の変更への対応が容易化される。
【００５６】
また、設定処理部６５は、ＲＤＭ信号に含まれるリセット用コマンドに応じて現設定値の一部又は全部を手動設定値にリセットするように構成されてもよい。これにより、スレーブ回路６の使用終了時に、スイッチ部６０が示す設定値に実際の設定値を一致させ、スレーブ回路６の再使用時のスムーズな取扱いが可能となる。例えば、その後のＤＭＸコントローラとの使用、又はＬＥＤ電源装置５を回収してからのスタンドアロンでの使用へのスムーズな移行が可能となる。
【００５７】
さらに、ＲＤＭ信号（コマンド）に対する応答信号（レスポンス）を通信部６１からコントローラ３に送信させる応答生成部６６がさらに設けられ、ＲＤＭ信号がスイッチ確認用コマンドを含む場合に、応答生成部６６が、現在の自機アドレスと、手動設定値の一部又は全部とを対応付けた応答信号を生成するように構成されてもよい。これにより、スレーブ回路６の設定変更後又はコントローラ３に対する複数のスレーブ回路６の接続構成の変更後も、コントローラ３側から各設定値を確認することができる。特に、設定値がアドレスの場合には、各スレーブ回路６の接続位置などを追跡することができ、その管理性が向上する。
【００５８】
＜変形例＞
以上に本発明の好適な実施形態を示したが、本発明は、例えば以下に示すように種々の態様に変形可能である。
【００５９】
（１）信号規格に関する変形
上記実施形態では、ＤＭＸ５１２規格及びＲＤＭ規格に準拠した通信による照明制御及び設定処理を説明した。一方、現存する又は将来開発され得る他の通信規格が用いられる場合においても、照明制御専用の規格と照明制御及び設定処理可能な規格とが併存し得る状況下で、本発明のスレーブ回路６、ＬＥＤ電源装置５又は照明制御システム１が適用可能となる。
【００６０】
（２）スイッチ部６０に関する変形
上記実施形態では、スイッチ部６０としてディップスイッチ及びロータリースイッチの組合せを例示したが、スイッチ部６０は、ディップスイッチのみ又はロータリースイッチのみであってもよい。また、スイッチ部６０として、トグルスイッチ、スライドスイッチなどの他の形態のスイッチ、又は上述したスイッチの組合せが適宜採用され得る。
【００６１】
（３）照明器具８の光源に関する変形
上記実施形態では、ＬＥＤを光源とする照明器具８を説明したが、照明器具８の光源は、放電灯、ハロゲンランプなど、他の種類の光源であってもよい。この場合、ＬＥＤ電源回路７及びＬＥＤ電源装置５の代わりに、その光源に適合した照明用電源回路及び照明用電源装置が適宜採用される。
【符号の説明】
【００６２】
１  照明制御システム
２  制御装置
３  コントローラ
４、４−１〜４−ｎ  照明装置
５  ＬＥＤ電源装置（照明用電源装置）
６  スレーブ回路
７  ＬＥＤ電源回路（照明用電源回路）
８  照明器具
６０  スイッチ部
６１  通信部
６２  ＣＰＵ
６３  照明制御部
６４  スイッチ有効／無効化部
６５  設定処理部
６６  応答生成部
６７  メモリ
６８  出力チャネル
【図１】
2019102403.tif 000003
【図２】
2019102403.tif 000004